【事件の表示】
　特願２０００−　７７４３５「遊技機」拒絶査定不服審判事件〔平成１３年　９月　４日出願公開、特開２００１−２３９０２０〕について、次のとおり審決する。
【結　論】
　本件審判の請求は、成り立たない。
【理　由】
１．手続の経緯・本願発明
　本件出願は、平成１２年３月１日に出願した特願２０００−５５６０１号の一部を平成１２年３月２１日に新たな特許出願としたものであって、その請求項１乃至２に係る発明は、特許法第１７条の２第４項第４号に規定する目的（明りょうでない記載の釈明）に適合する平成１５年８月２０日付けの手続補正書により補正された明細書および図面の記載からみて、その特許請求の範囲の請求項１乃至２に記載されたとおりのものと認められるところ、その請求項１に係る発明（以下、「本願発明」という。）は、その特許請求の範囲の請求項１に記載された次の事項により特定されるとおりのものと認める。
　
　「第１図柄表示部、第２図柄表示部及び第３図柄表示部に図柄を可変表示開始した後に、第１図柄表示部、第２図柄表示部、第３図柄表示部の順に図柄を停止表示し、その可変表示態様には通常可変表示態様と複数のリーチ態様を含み、停止表示された図柄が大当たり図柄であるとき遊技者に有利な大当たりが生起する遊技機であって、
　前記複数のリーチ態様のうち最も出現頻度を高く設定のリーチ態様は、前記通常可変表示態様における第２図柄表示部の図柄の停止より早期に第２図柄表示部の図柄を停止してリーチアクションを開始し、且つ、複数のリーチ態様のうち最も早期に全ての図柄表示部の図柄変動を停止することを特徴とする遊技機。」
　
２．引用例
　これに対して、原査定の拒絶の理由に引用され本件出願前に日本国内において頒布された刊行物である特開平１０−２２５５５６号公報（以下「引用例１」という。）には、図面とともに、　
  「複数の図柄を可変表示可能な、少なくとも第１、第２、第３図柄表示部を有する図柄表示器が配設してあり、・・・前記各図柄表示部の図柄が変動を開始し、所定時間後に、第１、第２、第３図柄表示部の図柄が順次停止し、その停止図柄が予め設定した図柄の組合せであると、遊技者にとって有利となる特別遊技状態が生起する遊技機であって、
　第１図柄表示部の図柄が停止表示した時から第２図柄表示部の図柄が停止表示するまでの時間は、第１、第２図柄表示部に停止表示する図柄が前記予め設定された図柄の組合せである場合には設定された図柄の組合せでない場合に比べて、短い・・・遊技機。」（特許請求の範囲、【請求項２】）、
　「【従来の技術】
　遊技機としてのパチンコ機には、複数の図柄を可変表示可能な複数の図柄表示部を有する図柄表示器が配設してあり、遊技球が図柄始動口に入賞することによって、前記各図柄表示部の図柄が変動を開始し、所定時間後に、順次図柄が停止し、その停止図柄の組合せが、例えば、全て同じ図柄（特別図柄）であるとき、遊技者にとって有利となる特別遊技状態（大当たり）が生起するものがある。」（段落【０００２】）、
　「・・・、図柄表示器には、図柄表示部が三箇所設けてあり、遊技球が図柄始動口に入賞すると、一斉に図柄が変動を開始し、所定時間後に、第１図柄表示部Ｌ１、第２図柄表示部Ｌ２、そして最後に第３図柄表示部Ｌ３の図柄が停止する。
　その過程において、遊技者は第１図柄表示部Ｌ１に続いて第２図柄表示部Ｌ２の図柄が停止したとき、特別遊技状態が生起するか否かを認識できる。即ち、第１図柄表示部Ｌ１と第２図柄表示部Ｌ２の図柄が一致しないときには、第３図柄表示部Ｌ３の図柄が何れの図柄であっても、特別遊技状態は生起しない。従って、かかる状態のときには、第３図柄表示部Ｌ３の図柄は、第２図柄表示部Ｌ２の図柄が停止した後、比較的短時間で停止させて、次の図柄変動に備える。
　一方、第１図柄表示部Ｌ１と第２図柄表示部Ｌ２の図柄が一致したとき（所謂、リーチ状態）には、第３図柄表示部Ｌ３の図柄は第２図柄表示部Ｌ２の図柄が停止した後、長時間にわたって図柄変動したり・・・するリーチアクションによって、遊技者に面白みと特別遊技状態が生起することの期待感を与えている。・・・。」（段落【０００３】）、
　「【発明が解決しようとする課題】
　・・・パチンコ機は、一斉に図柄が変動開始した後、第１図柄表示部Ｌ１、続いて第２図柄表示部Ｌ２を停止させるものであり、リーチとなるか否かに拘らず、同じ停止態様で実施している。・・・。」（段落【０００４】）、
　「・・・遊技領域２のほぼ中央部には、複数の図柄を介して可変表示ゲームを行う特別図柄表示器Ｌが配置してある。この特別図柄表示器Ｌには、第１図柄表示部Ｌ１、第３図柄表示部Ｌ３、第２図柄表示部Ｌ２が設けてあり、図柄表示部Ｌ１、Ｌ２には、図５に示す、・・・１５種類の図柄であり、一方、第３図柄表示部Ｌ３は、・・・２２種類の図柄が可変表示可能であり、図柄変動は順序通り行う。・・・。」（段落【０００７】）、
　「遊技球が、普通電動役物７に入賞したときには、・・・、前記特別図柄表示機Ｌの第１、第２、第３の各図柄表示部Ｌ１、Ｌ２、Ｌ３の図柄が変動を開始し、・・・、判定カウンタＨｃにより大当たり（特別遊技状態）か、外れかを選定すると共に、それらに対応して前記特別図柄表示器Ｌの第１、第２、第３の各図柄表示部Ｌ１、Ｌ２、Ｌ３の図柄が所定時間後に停止表示する。」（段落【０００８】）、
　「・・・、大当たりの場合には、図柄表示部Ｌ１、Ｌ２、Ｌ３の停止図柄は、・・・、同じ図柄である「一、一、一」〜「説、説、説」（特別図柄）の２２通であ・・・る。」（段落【０００９】）、
　「・・・大当たりが選定されたときには、・・・、図柄表示部Ｌ１、Ｌ２、Ｌ３に大当たり図柄を表示し、大入賞口５の開閉扉５ａは、ｔ秒間、開成を維持するか、遊技球がａ個入賞すると閉成する。又、前記開成中に、大入賞口５内に設けられている特定領域（図示略）を遊技球が通過すると、大入賞口５が再度開成し、この動作を最大Ｘ回行う。」（段落【００１０】）、
　「・・・、遊技球が、前記普通電動役物（図柄始動口）７に入賞すると、・・・、図柄表示部Ｌ１、Ｌ２、Ｌ３の図柄表示は、一斉に各図柄が変動を開始する。尚、図柄変動は、・・・図柄の並べ替えが行われるまでは、遊技者に表示図柄が認識されない程度の高速変動である。・・・。」（段落【００１９】）、
　「（１）第１図柄表示部Ｌ１と第２図柄表示部Ｌ２に対する図柄変動
　（イ）大当たり（特別遊技状態）のとき
　前記図柄表示部Ｌ１、Ｌ２、Ｌ３の図柄が変動を開始した後、ｇ（例えば、５．００）秒後に、判定エリアの値が、「７」（低確率時）であるとき、又、「７、３１、９７、１６３、１９７、２１１、２２７」（高確率時）の時に大当たりである。
　この大当たりのとき、先ず、第１図柄表示部Ｌ１の図柄は、・・・、ｈ（例えば、０．６１１）秒かけて、・・・停止する。
　そして、第２図柄表示部Ｌ２は、・・・外れ時における図柄変動時間（１．５秒）に比べて短い、ｉ（例えば、０．９１７）秒をかけて、・・・停止する。
　この様に、第１図柄表示部Ｌ１の図柄が停止した後、第２図柄表示部Ｌ２の図柄は、短時間（０．９１７秒）で・・・停止させる・・・。」（段落【００２０】）、
　「（ロ）外れリーチ
　この外れリーチは、・・・、前記（イ）と同様の処理を行うことによって、・・・、外れに比べて異なるリーチアクション態様を示すことができる。
　（ハ）外れリーチ２
　この外れリーチ２は、・・・、前記（イ）と同様の処理を行うことによって、・・・、外れに比べて異なるリーチアクション態様を示すことができる。（段落【００２１】）、
　「（ニ）外れの場合
　・・・、図柄表示部Ｌ１、Ｌ２、Ｌ３の図柄が変動を開始した後、ｇ（例えば、５．００）秒後に、第１図柄表示部Ｌ１は、・・・、ｈ（例えば、０．６１１）秒かけて、・・・停止する。
　その後、第２図柄表示部Ｌ２は、・・・、前記大当たり、外れリーチ等と異なり、長時間かけて、遊技者が図柄の認識可能な速度の、ｉ（例えば、１．５）秒をかけて・・・停止する。」（段落【００２２】）、
　「・・・、大当たり、外れリーチ、外れリーチ２の何れの場合において、第２図柄表示部Ｌ２の図柄は外れの場合に比べて短い図柄変動である・・・。」（段落【００２３】）、
　「・・・、前記第１図柄表示部Ｌ１と第２図柄表示部Ｌ２にの図柄変動を、具体的に、図１０を参照・・・。
　図１０（Ａ）は「外れ」、（Ｂ）は大当たり、外れリーチ又は外れリーチ２の場合を示し、各図は共に第１図柄表示部Ｌ１が停止した状態を示し、第３図柄表示部Ｌ３は図柄が変動中である。
（イ）外れの場合（図１０（Ａ）参照）
　第１図柄表示部Ｌ１の図柄が「一」で停止した直後に、大当たり、外れリーチ又は外れリーチ２の図柄格納エリアの値（第２図柄表示部Ｌ２に対応）の停止図柄が「ゴ」（Ｈ5）であるときには、「ゴ」を含めて５図柄前の図柄「ハ」（Ｈ1）を先頭に表示図柄を並べ替える。
　そして、第２図柄表示部Ｌ２の図柄は、１．５秒かけて、「八」（Ｈ1）、「九」（Ｈ2）、「ド」（Ｈ3）、「ラ」（Ｈ4）、「ゴ」（Ｈ5）の図柄を変動した後に停止させる。この図柄変動過程において、３図柄目の「ド」（Ｈ3）が変動を続行することによって４図柄目の「ラ」（Ｈ4）が表示を開始し、更に、第２図柄表示部Ｌ２の図柄が変動をして「ゴ」を表示し、最終的に、第１図柄表示部Ｌ１と第２図柄表示部Ｌ２は異なる図柄「一」と「ゴ」が停止図柄となって外れを生起する。
　この様に、遊技者は３図柄目で停止することなく、１．５秒かけて、図柄変動を続行した時点で外れとなることが推定できる。
（ロ）大当たり、外れリーチ、外れリーチ２の場合（図１０（Ｂ）参照）
　第１図柄表示部Ｌ１の図柄が「一」で停止した直後に、外れ図柄格納エリア（第２図柄表示部Ｌ２に対応）には、「一」を含めて３図柄前の「伝」（Ｈ1）を先頭に並べ替える。
　そして、第２図柄表示部Ｌ２の図柄は、ｉ（例えば、０．９１７）秒かけて、「伝」（Ｈ1）、「説」（Ｈ2）、「一」（Ｈ3）の順に停止する。
　そのため、第１図柄表示部Ｌ１と第２図柄表示部Ｌ２の停止図柄は、共に、「一」となり、遊技者は大当たり（特別遊技状態）が生起する可能性があることがわかる。」（段落【００２４】）、
　「（２）第３図柄表示部Ｌ３に対する図柄変動
　前記「外れ」、「大当たり」、「外れリーチ」、「外れリーチ２」に対しては、前記第２図柄表示部Ｌ２に続いて、第３図柄表示部Ｌ３は・・・リーチ図柄変動パターンを選定して、各々の態様に対して期待感等を抱かせる興趣を与えると共に、前記「外れ」の場合と「大当り、リーチ」の場合では、第２図柄表示部Ｌ２の変動時間を異にするため、第３図柄表示部Ｌ３の図柄変動時間を異にすることもできる。・・・。
（イ）外れのとき
　外れのときには、・・・第３図柄表示部Ｌ３に該当する停止図柄を、第２図柄表示部Ｌ２の停止後、ｊ（例えば、０．００７）秒後に停止し、ｍ（例えば、１．２９９）秒間停止維持する。
（ロ）大当たり、外れリーチ、外れリーチ２のとき
　これらのときには、種々の図柄変動パターンを導入し、「大当たり図柄」、「リーチとなったときの第３図柄表示部Ｌ３の停止図柄」及び、パターンカウンタＰｃを導入して、図１１に示す条件で選定する。・・・。」（段落【００２６】）、
　「（ａ）・・・パターン１において、第２図柄表示部Ｌ２の図柄が停止した後、超低速（１図柄０．４５８秒）で１５図柄を変動させた後、停止図柄と一致した時点で停止させる。
　（ｂ）パターン２は、図１１に示す条件で選定され、中速度（１図柄０．１５２秒）で４６図柄変動させた後、停止図柄の３〜４前の図柄となるまで図柄を同じ速度で変動させ、その後、超低速（１図柄０．７５１秒）で停止図柄と一致するまで変動させる。」（段落【００２７】）、
　「（ｃ）パターン３は、図１１に示す条件で選定され、超低速（１図柄０．４５８秒）で１５〜１８図柄を変動させた後、０．４９９秒停止し、その後、停止図柄の３〜４前の図柄となるまで中速度（１図柄０．１５２秒）で２１〜４２図柄変動させ、その後、超低速（１図柄０．７５１秒）で停止図柄と一致するまで変動させる。
　（ｄ）パターン４は、図１１に示す条件で選定され、 中速度（１図柄０．１５２秒）で５２〜５５図柄変動させた後、超低速（１図柄０．７５１秒）で３〜４図柄変動した後、０．４９９秒停止する。そして、中速度（１図柄０．１５２秒）で１０図柄変動させた後、停止図柄と一致するまで変動させる。
　（ｅ）パターン５は、図１１に示す条件で選定され、超低速（１図柄０．４５８秒）で１５〜１８図柄を変動させた後、０．４９９秒停止し、その後、中速度（１図柄０．１５２秒）で１０図柄変動し、その後、停止図柄と一致するまで変動させる。」（段落【００２８】）、
　「・・・大当たりが確かに生起したかを判定し、大当たりであるときには、そのｓ（例えば、６．９９９）秒後に開閉扉５ａをｔ（例えば、２４．９９９）秒間、開成した後に閉成するか、遊技球がａ（例えば、１０）個入賞すると閉成する。そして、再度、ｕ（例えば、１．９９９）秒後に前記と同様の条件で開成、閉成の動作を最大Ｘ（例えば、１５）回行う。尚、前記開閉扉５ａが開成中に、大入賞口５内に設けられている特定領域（図示略）を遊技球が通過すると、開閉扉５ａが閉成して、ｕ（例えば、１．９９９）秒後に最大Ｙ（例えば、１６）回を限度に開成する。」（段落【００３０】）、
　「・・・、図１０（Ａ）（Ｂ）・・・に示す、大当たり、外れの図柄変動数は固定せず、大当たりのときに図１０（Ａ）、外れのときに図１０（Ｂ）・・・を採用したり、時間の経過や任意の確率で何れかを適宜に選定表示したりすることもできる。
　又、前記第２図柄表示部Ｌ２は、図９に示すように、第１図柄表実部Ｌ１の図柄は図柄変動開始から５秒後に停止するものであるが、第１図柄表示部Ｌ１の停止図柄が判るように後半においてゆっくり変動させ、前記５秒を経過しないで、第１図柄表示部Ｌ１の図柄停止後に、次の第２図柄表示部Ｌ２の図柄を停止可能とするように構成することもでき、・・・る。・・・。」（段落【００３２】）
との記載が認められる。
　また、上記摘記事項および図１・１１等より、複数の図柄を介して可変表示ゲームを行う特別図柄表示器Ｌには、第１図柄表示部Ｌ１、第３図柄表示部Ｌ３、第２図柄表示部Ｌ２が設けてあり、図柄変動は順序通り行うこと（段落【０００７】）、遊技球が、普通電動役物７に入賞したときには、特別図柄表示機Ｌの第１、第２、第３の各図柄表示部Ｌ１、Ｌ２、Ｌ３の図柄が変動を開始し、大当たり（特別遊技状態）か、外れかを選定すると共に、それらに対応して前記特別図柄表示器Ｌの第１、第２、第３の各図柄表示部Ｌ１、Ｌ２、Ｌ３の図柄が所定時間後に停止表示すること（段落【０００８】）、遊技球が、普通電動役物（図柄始動口）７に入賞すると、図柄表示部Ｌ１、Ｌ２、Ｌ３の図柄表示は、一斉に各図柄が変動を開始すること（段落【００１９】）、（１）第１図柄表示部Ｌ１と第２図柄表示部Ｌ２に対する図柄変動において、（イ）大当たり（特別遊技状態）のとき、図柄表示部Ｌ１、Ｌ２、Ｌ３の図柄が変動を開始した後、例えば、５．００秒後に、先ず、第１図柄表示部Ｌ１の図柄は、例えば、０．６１１秒かけて停止し、第２図柄表示部Ｌ２は、例えば、０．９１７秒をかけて停止すること（段落【００２０】）、（ロ）外れリーチは前記（イ）と同様の処理を行うことによって、外れに比べて異なるリーチアクション態様を示すことができ、（ハ）外れリーチ２は、前記（イ）と同様の処理を行うことによって、外れに比べて異なるリーチアクション態様を示すことができること（段落【００２１】）、（ニ）外れの場合に、図柄表示部Ｌ１、Ｌ２、Ｌ３の図柄が変動を開始した後、例えば、５．００秒後に、第１図柄表示部Ｌ１は、例えば、０．６１１）秒かけて停止し、その後、第２図柄表示部Ｌ２は、前記大当たり、外れリーチ等と異なり、例えば、１．５秒をかけて停止すること（段落【００２２】）、（２）第３図柄表示部Ｌ３に対する図柄変動において、前記「外れ」、「大当たり」、「外れリーチ」、「外れリーチ２」に対しては、前記第２図柄表示部Ｌ２に続いて、第３図柄表示部Ｌ３はリーチ図柄変動パターンを選定して、各々の態様に対して期待感等を抱かせる興趣を与え、（イ）外れのときには、第３図柄表示部Ｌ３に該当する停止図柄を、第２図柄表示部Ｌ２の停止後、例えば、０．００７秒後に停止し、例えば、１．２９９秒間停止維持し、（ロ）大当たり、外れリーチ、外れリーチ２のときには、種々の図柄変動パターンを導入し、「大当たり図柄」、「リーチとなったときの第３図柄表示部Ｌ３の停止図柄」及び、パターンカウンタＰｃを導入して選定すること（段落【００２６】）、（ａ）パターン１において、第２図柄表示部Ｌ２の図柄が停止した後、超低速で１５図柄を変動させた後、停止図柄と一致した時点で停止させ、（ｂ）パターン２は、中速度で４６図柄変動させた後、停止図柄の３〜４前の図柄となるまで図柄を同じ速度で変動させ、その後、超低速で停止図柄と一致するまで変動させること（段落【００２７】）、（ｃ）パターン３は、超低速で１５〜１８図柄を変動させた後、停止し、その後、停止図柄の３〜４前の図柄となるまで中速度で２１〜４２図柄変動させ、その後、超低速で停止図柄と一致するまで変動させ、（ｄ）パターン４は、中速度で５２〜５５図柄変動させた後、超低速で３〜４図柄変動した後、停止し、そして、中速度で１０図柄変動させた後、停止図柄と一致するまで変動させ、（ｅ）パターン５は、超低速で１５〜１８図柄を変動させた後、停止し、その後、中速度で１０図柄変動し、その後、停止図柄と一致するまで変動させること（段落【００２８】）等から、特別図柄表示機Ｌの第１、第２、第３の各図柄表示部Ｌ１、Ｌ２、Ｌ３の図柄は、「一斉に変動開始し、所定時間後に、第１図柄表示部Ｌ１、第２図柄表示部Ｌ２、第３図柄表示部Ｌ３の順に図柄を停止表示し、その可変表示態様には外れ変動表示態様とリーチ図柄変動パターン１から５までのリーチ態様を含」むものと認められ、
　また、上記摘記事項および図１・９・１１等より、（１）第１図柄表示部Ｌ１と第２図柄表示部Ｌ２に対する図柄変動で、（イ）大当たり（特別遊技状態）のときに、図柄表示部Ｌ１、Ｌ２、Ｌ３の図柄が変動を開始した後、５．００秒後に、先ず、第１図柄表示部Ｌ１の図柄は、０．６１１秒かけて停止して、第２図柄表示部Ｌ２は、外れ時における図柄変動時間（１．５秒）に比べて短い、０．９１７秒をかけて停止すること（段落【００２０】）、（ロ）外れリーチは、前記（イ）と同様の処理を行うことによって、外れに比べて異なるリーチアクション態様を示すことができ、（ハ）外れリーチ２は、前記（イ）と同様の処理を行うことによって、外れに比べて異なるリーチアクション態様を示すことができること（段落【００２１】）、（ニ）外れの場合に、図柄表示部Ｌ１、Ｌ２、Ｌ３の図柄が変動を開始した後、５．００秒後に、第１図柄表示部Ｌ１は、０．６１１秒かけて停止し、その後、第２図柄表示部Ｌ２は、前記大当たり、外れリーチ等と異なり、１．５秒をかけて停止すること（段落【００２２】）、（２）第３図柄表示部Ｌ３に対する図柄変動で、前記「外れ」、「大当たり」、「外れリーチ」、「外れリーチ２」に対しては、前記第２図柄表示部Ｌ２に続いて、第３図柄表示部Ｌ３はリーチ図柄変動パターンを選定して、各々の態様に対して期待感等を抱かせる興趣を与え、（イ）外れのときには、第３図柄表示部Ｌ３に該当する停止図柄を、第２図柄表示部Ｌ２の停止後、０．００７秒後に停止し、１．２９９秒間停止維持し、（ロ）大当たり、外れリーチ、外れリーチ２のときには、種々の図柄変動パターンを導入し、「大当たり図柄」、「リーチとなったときの第３図柄表示部Ｌ３の停止図柄」及び、パターンカウンタＰｃを導入して、図１１に示す条件で選定すること（段落【００２６】）、
（ａ）パターン１において、第２図柄表示部Ｌ２の図柄が停止した後、１図柄０．４５８秒で１５図柄を変動させた後、停止図柄と一致した時点で停止させ、（ｂ）パターン２は、１図柄０．１５２秒で４６図柄変動させた後、停止図柄の３〜４前の図柄となるまで図柄を同じ速度で変動させ、その後、１図柄０．７５１秒で停止図柄と一致するまで変動させること（段落【００２７】）、（ｃ）パターン３は、１図柄０．４５８秒で１５〜１８図柄を変動させた後、０．４９９秒停止し、その後、停止図柄の３〜４前の図柄となるまで１図柄０．１５２秒で２１〜４２図柄変動させ、その後、１図柄０．７５１秒で停止図柄と一致するまで変動させ、（ｄ）パターン４は、１図柄０．１５２秒で５２〜５５図柄変動させた後、１図柄０．７５１秒で３〜４図柄変動した後、０．４９９秒停止して、１図柄０．１５２秒で１０図柄変動させた後、停止図柄と一致するまで変動させ、（ｅ）パターン５は、１図柄０．４５８秒で１５〜１８図柄を変動させた後、０．４９９秒停止し、その後、１図柄０．１５２秒で１０図柄変動し、その後、停止図柄と一致するまで変動させること（段落【００２８】）等、および、段落【００２７】・【００２８】に記載されているパターン１から５までを計算してみると、リーチとなったときの図柄表示部Ｌ１、Ｌ２、Ｌ３の図柄が全て変動を停止するまでの時間は、パターン１は、１３．３９８秒（５．００秒＋０．６１１秒＋０．９１７秒＋０．４５８秒／図柄ｘ１５図柄）＋第３図柄表示部Ｌ３に表示する停止図柄と一致した時点の時間、パターン２は、５．００秒＋０．６１１秒＋０．９１７秒＋０．１５２秒／図柄ｘ４６図柄＋０．１５２秒／図柄ｘ３〜４＋０．７５１秒／図柄の速さで第３図柄表示部Ｌ３に表示する停止図柄と一致するまでの時間、パターン３〜５も同様にして計算すると、その結果、パターン１が、パターン１から５までのリーチ態様のうち１３．３９８秒（５．００秒＋０．６１１秒＋０．９１７秒＋０．４５８秒／図柄ｘ１５図柄）＋α秒（第３図柄表示部Ｌ３に表示する停止図柄と一致した時点の時間）で全ての図柄表示部Ｌ１、Ｌ２、Ｌ３の図柄変動を停止することから、パチンコ機は、「リーチ図柄変動パターン１から５までのリーチ態様のうちリーチ図柄変動パターン１のリーチ態様は、外れ変動表示態様における第２図柄表示部Ｌ２の図柄の停止より０．５８３秒（１．５秒−０．９１７秒）短く第２図柄表示部Ｌ２の図柄を停止してリーチアクションを開始し、且つ、リーチ図柄変動パターン１から５までのリーチ態様のうち１３．３９８秒＋α秒で全ての図柄表示部Ｌ１、Ｌ２、Ｌ３の図柄変動を停止する」ものと認められる。これらの記載によれば、引用例１には、
　
「第１図柄表示部Ｌ１、第２図柄表示部Ｌ２及び第３図柄表示部Ｌ３に図柄を一斉に変動開始し、所定時間後に、第１図柄表示部Ｌ１、第２図柄表示部Ｌ２、第３図柄表示部Ｌ３の順に図柄を停止表示し、その可変表示態様には外れ変動表示態様とリーチ図柄変動パターン１から５までのリーチ態様を含み、その停止図柄の組合せが全て同じ図柄であるとき遊技者にとって有利となる特別遊技状態が生起するパチンコ機であって、
　前記リーチ図柄変動パターン１から５までのリーチ態様のうちリーチ図柄変動パターン１のリーチ態様は、前記外れ変動表示態様における第２図柄表示部Ｌ２の図柄の停止より短く第２図柄表示部Ｌ２の図柄を停止してリーチアクションを開始し、且つ、リーチ図柄変動パターン１から５までのリーチ態様のうち１３．３９８秒＋α秒で全ての図柄表示部Ｌ１、Ｌ２、Ｌ３の図柄変動を停止するパチンコ機。」
　
との発明（以下「引用例１発明」という。）が開示されていると認めることができる。
　
３．対比
　そこで、本願発明と引用例１発明とを比較すると、引用例１発明の「第１図柄表示部Ｌ１」、「第２図柄表示部Ｌ２」、「第３図柄表示部Ｌ３」、「一斉に変動開始し、所定時間後に」、「外れ変動表示態様」、「リーチ図柄変動パターン１から５までのリーチ態様」、「その停止図柄の組合せが全て同じ図柄であるとき」、「遊技者にとって有利となる特別遊技状態」、「パチンコ機」および「短く」は、本願発明の「第１図柄表示部」、「第２図柄表示部」、「第３図柄表示部」、「可変表示開始した後に」、「通常可変表示態様」、「複数のリーチ態様」、「停止表示された図柄が大当たり図柄であるとき」、「遊技者に有利な大当たり」、「遊技機」および「早期に」とそれぞれ相当すると認められる。また、引用例１発明の「リーチ図柄変動パターン１のリーチ態様」と、本願発明の「最も出現頻度を高く設定のリーチ態様」は、「特定のリーチ態様」で共通し、また、引用例１発明の「１３．３９８秒＋α秒で」と、本願発明の「最も早期に」は、「所定の時期に」で共通する。したがって、両者は、
　
「第１図柄表示部、第２図柄表示部及び第３図柄表示部に図柄を可変表示開始した後に、第１図柄表示部、第２図柄表示部、第３図柄表示部の順に図柄を停止表示し、その可変表示態様には通常可変表示態様と複数のリーチ態様を含み、停止表示された図柄が大当たり図柄であるとき遊技者に有利な大当たりが生起する遊技機であって、
　前記複数のリーチ態様のうち特定のリーチ態様は、前記通常可変表示態様における第２図柄表示部の図柄の停止より早期に第２図柄表示部の図柄を停止してリーチアクションを開始し、且つ、複数のリーチ態様のうち所定の時期に全ての図柄表示部の図柄変動を停止する遊技機。」
　
である点で一致し、以下の点で相違している。
　
　相違点、複数のリーチ態様のうち特定のリーチ態様が所定の時期に全ての図柄表示部の図柄変動を停止することにおいて、本願発明では、「最も出現頻度を高く設定のリーチ態様は、複数のリーチ態様のうち最も早期に全ての図柄表示部の図柄変動を停止する」ものであるのに対して、引用例１発明では、「リーチ図柄変動パターン１のリーチ態様」は、出現頻度がどの程度に設定されているのか、および、リーチ図柄変動パターン１は全ての図柄表示部の図柄変動を１３．３９８秒＋α秒で停止し、リーチ図柄変動パターン１から５のそれぞれとの停止時期の関係が明らかでない点、
　
４．判断
　上記相違点について検討すると、遊技機分野において、一般的に、複数種類のリーチ変動態様のうち最も出現率の高いリーチ変動態様が、複数種類のリーチ変動態様のうち最も早期に全ての特別図柄表示部の識別情報の可変表示を終了することは周知であり｛例えば、特開平１０−１２７８９６号公報（段落【００３４】、【００３５】、【００４６】等、図１０・１１・１３（Ａ）等）、特開平１０−１２７８９２号公報（段落【００３４】、【００３５】、【００４４】等、図１１・１３（Ａ）・１５等）参照。｝、引用例１発明のリーチ図柄変動パターン１のリーチ態様を設定するにあたり、前記周知のものを採用して本願発明のような構成とした点に格別の発明力を要したとはいえず、当業者が必要に応じて容易に想到し得るものである。
　
  そして、本願発明が上記構成を採ることによりもたらされる効果は、引用例１発明および周知技術から当業者が予測できる範囲内のものであって格別のものとは認められない。
　
５．むすび
　以上のとおりであるから、本願発明は、引用例１発明および周知技術に基づいて、当業者が容易に発明できたものと認められるから、他の請求項について論ずるまでもなく、特許法第２９条第２項の規定により特許を受けることができない。
　よって、結論のとおり審決する。